(57)【要約】【課題】ビルトイン機器を組み入れた対面式キッチンにおいて、機器から発生する排気熱をダイニング側またはリビング側のいずれかとキッチン側との両側に効果的に用いること。【解決手段】ＩＨクッキングヒータ２から発生する排気熱を排出する複数の排気排出口１２〜１４と、複数の排気排出口のいずれから排気するかを選択する排気排出口選択手段８とを備え、排気排出口は少なくともダイニング側またはリビング側のいずれかとキッチン側との両側に設け、調理人の在不在、操作内容に応じて排気排出口を選択する。【選択図】図１
2010220814.tif 000002
【特許請求の範囲】
【請求項１】
ビルトイン機器を組み入れた対面式キッチンにおいて、前記ビルトイン機器から発生する排気熱を排出する複数の排気排出口と、前記複数の排気排出口のいずれから排気するかを選択する排気排出口選択手段とを備え、前記排気排出口は少なくともダイニング側またはリビング側のいずれかとキッチン側との両側に設けた対面式キッチン。
【請求項２】
前記対面式キッチンに人感センサーを備え、前記人感センサーによるダイニング側またはリビング側のいずれかとキッチン側との調理者の有無に応じて前記キッチン側の排気排出口または／およびダイニング側またはリビング側のいずれかの排気排出口から排気する請求項１に記載の対面式キッチン。
【請求項３】
前記ビルトイン機器の操作部を少なくともダイニング側またはリビング側のいずれかとキッチン側との両側に設け、前記操作部の操作内容に応じて前記キッチン側の排気排出口または／およびダイニング側またはリビング側のいずれかの排気排出口から排気する請求項１に記載の対面式キッチン。
【請求項４】
前記対面式キッチンにカレンダー手段または室温センサを設け、冬季または室温が低いときに調理者のいる排気排出口から排気する請求項２または３に記載の対面式キッチン。
【請求項５】
前記対面式キッチンは、冬季または室温が低いときにおいてダイニング側またはリビング側のいずれかとキッチン側との両方に調理者がいないときに前記ダイニング側またはリビング側のいずれかの排気排出口から排気する請求項４に記載の対面式キッチン。
【請求項６】
前記対面式キッチンは、冬季または室温が低いときにおいて前記ビルトイン機器の運転終了の操作がされたときに前記ダイニング側またはリビング側のいずれかの排気排出口から排気する請求項４に記載の対面式キッチン。
【請求項７】
前記対面式キッチンにカレンダー手段または室温センサを設け、夏季または室温が高いときにおいて調理者のいない排気排出口または屋外に排気する請求項２または３に記載の対面式キッチン。
【請求項８】
前記対面式キッチンにカレンダー手段または室温センサとダイニング側またはリビング側のいずれかとキッチン側と以外に前記対面式キッチンの横側に排気排出口を備え、夏季または室温が高いときにおいてキッチン側とダイニング側またはリビング側のいずれかの両方に調理者がいるときに、前記横側の排気排出口または屋外に排気する請求項２または３に記載の対面式キッチン。
【請求項９】
前記対面式キッチンにカレンダー手段または室温センサとダイニング側またはリビング側のいずれかとキッチン側以外に前記対面式キッチンの横側に排気排出口を備え、夏季または室温が高いときにおいて前記ビルトイン機器の運転終了の操作がされたときに、前記横側の排気排出口または屋外に排気する請求項２または３に記載の対面式キッチン。
【請求項１０】
ダイニング側またはリビング側のいずれかの前記排気排出口に風向風量制御手段を設け、ダイニング側またはリビング側のいずれかの調理者の有無に応じて風向または／および風量を制御する請求項２に記載の対面式キッチン。
【請求項１１】
ダイニング側またはリビング側のいずれかの前記排気排出口に風向風量制御手段を設け、前記ビルトイン機器の操作内容に応じて風向または／および風量を制御する請求項３に記載の対面式キッチン。
【発明の詳細な説明】
【技術分野】
【０００１】
本発明は、ビルトイン機器を組み入れた対面式キッチンにおいて、ビルトイン機器から発生する排気熱を室内に排出する複数の排気排出口に関するものである。
【背景技術】
【０００２】
従来、ガス調理器において、冬季に燃焼排気熱を調理者の足元に排気して暖房に利用する発明がある（たとえば、特許文献１参照）。
【０００３】
また、図７に示すように、キッチン１２１にエアコンと複数の吹き出し口１２４を備えて、人感センサー１２３による人の有無と季節に応じて吹き出し口を切り換えるものがある。吹き出し口１２４に設けた人感センサー１２３で、夏場には人を感知した吹き出し口から冷風を出し、冬場には人のいない吹き出し口から温風を出す発明がある（たとえば、特許文献２参照）。
【特許文献１】特開２００５−８３５８９号公報
【特許文献２】特開平４−１３６６４６号公報
【発明の開示】
【発明が解決しようとする課題】
【０００４】
しかしながら、前記特許文献１、２は片方向のキッチンでしか考慮されていない。対面式キッチンではキッチンの両側に調理者がいるので調理者の冷暖房を行うには吹き出し口をダイニング側またはリビング側のいずれかとキッチン側との両側に設けて制御しなけばならないが、その記載は見あたらない。
【０００５】
また、ダイニング側またはリビング側のいずれかに吹き出し口を設けることで、ビルトイン機器から発生する排気を調理者の暖房だけでなくリビング空間の部屋暖房が行うことができるが、その記載は見あたらない。
【０００６】
また、上記特許文献１では、加熱調理を終えたあともしばらくのあいだ機器から発生する排気熱について考慮する必要があるという課題を有していた。
【０００７】
また、上記特許文献２は、キッチンにエアコンを組み込んだものなので室温にあわせ冷風と温風とを吹き出すことができるが、排気熱を利用する場合は温風しか排出できないのでこれを考慮する必要があるという課題を有していた。
【０００８】
本発明は、前記従来の課題を解決するもので、ビルトイン機器を組み入れた対面式キッチンにおいて、機器から発生する排気熱をダイニング側またはリビング側のいずれかとキッチン側との両側に効果的に用いることを目的とするものである。
【課題を解決するための手段】
【０００９】
前記の課題を解決するために、本発明は、ビルトイン機器を組み入れた対面式キッチンにおいて、前記ビルトイン機器から発生する排気熱を排出する複数の排気排出口と、前記複数の排気排出口のいずれから排気するかを選択する排気排出口選択手段とを備え、前記排気排出口は少なくともダイニング側またはリビング側のいずれかとキッチン側との両側に設けたものである。
【００１０】
これによって、機器から発生する排気熱をダイニング側またはリビング側のいずれかとキッチン側との両側に効果的に用いることができる。
【発明の効果】
【００１１】
本発明の対面式キッチンは、機器から発生する排気熱をダイニング側またはリビング側のいずれかとキッチン側との両側で切り換えて用いるので機器の使用中および使用後に使い勝手の良い暖房が実現できる。
【発明を実施するための最良の形態】
【００１２】
第１の発明は、ビルトイン機器を組み入れた対面式キッチンにおいて、ビルトイン機器から発生する排気熱を排出する複数の排気排出口と、複数の排気排出口のいずれから排気するかを選択する排気排出口選択手段とを備え、排気排出口は少なくともダイニング側またはリビング側のいずれかとキッチン側との両側に設けたものである。
【００１３】
そして、機器から発生する排気熱をダイニング側またはリビング側のいずれかとキッチン側との両側で切り換えて用いることができるので機器の使用中および使用後に使い勝手の良い暖房が実現できる。
【００１４】
第２の発明は、第１の発明において、対面式キッチンに人感センサーを備え、人感センサーによるダイニング側またはリビング側のいずれかとキッチン側との調理者の有無に応じてキッチン側の排気排出口または／およびダイニング側またはリビング側のいずれかの排気排出口から排気するものである。
【００１５】
そして、調理者の有無に応じてダイニング側またはリビング側のいずれかとキッチン側とを切り換えて暖房することができる。
【００１６】
第３の発明は、第１の発明において、ビルトイン機器の操作部を少なくともダイニング側またはリビング側のいずれかとキッチン側との両側に設け、操作部の操作内容に応じてキッチン側の排気排出口または／およびダイニング側またはリビング側のいずれかの排気排出口から排気するものである。
【００１７】
そして、操作内容に応じてダイニング側またはリビング側のいずれかとキッチン側とを切り換えて暖房することができる。
【００１８】
第４の発明は、第２または第３の発明において、対面式キッチンにカレンダー手段または室温センサを設け、冬季または室温が低いときに調理者のいる排気排出口から排気するものである。
【００１９】
そして、冬季または室温が低いときに調理者の暖房を優先して行うことができる。
【００２０】
第５の発明は、第４の発明において、冬季または室温が低いときにおいて、ダイニング側またはリビング側のいずれかとキッチン側との両方に調理者がいないときに、ダイニング側またはリビング側のいずれかの排気排出口から排気するものである。
【００２１】
そして、冬季または室温が低いときにダイニング側またはリビング側のいずれかを優先して暖房することができる。
【００２２】
第６の発明は、第４の発明において、冬季または室温が低いときにおいてビルトイン機器の運転終了の操作がされたときにダイニング側またはリビング側のいずれかの排気排出口から排気するものである。
【００２３】
そして、冬季または室温が低いときにビルトイン機器の運転終了後はその排気熱を用い
てリビング空間の暖房を行うことができる。
【００２４】
第７の発明は、第２または第３の発明において、対面式キッチンにカレンダー手段または室温センサを設け、夏季または室温が高いときにおいて調理者のいない排気排出口または屋外に排気するものである。
【００２５】
そして、夏季または室温が高いときに調理者に暖気をあてないようにすることができる。
【００２６】
第８の発明は、第２または第３の発明において、対面式キッチンにカレンダー手段または室温センサとダイニング側またはリビング側のいずれかとキッチン側以外に対面式キッチンの横側に排気排出口を備え、夏季または室温が高いときにおいてダイニング側またはリビング側のいずれかとキッチン側との両方に調理者がいるときに、対面式キッチンの横側の排気排出口または屋外に排気するものである。
【００２７】
そして、夏季または室温が高いときに人のいないキッチン横側または屋外に排気することができる。
【００２８】
第９の発明は、第２または第３の発明において、対面式キッチンにカレンダー手段または室温センサとダイニング側またはリビング側のいずれかとキッチン側と以外に対面式キッチンの横側に排気排出口を備え、夏季または室温が高いときにおいてビルトイン機器の運転終了の操作がされたときに、対面式キッチンの横側の排気排出口または屋外に排気するものである。
【００２９】
そして、夏季または室温が高いときにビルトイン機器の運転終了後はその排気熱をキッチンの横側または屋外に排気するのでリビング空間が暑くなるのを防ぐことができる。
【００３０】
第１０の発明は、第２の発明において、ダイニング側またはリビング側のいずれかの排気排出口に風向・風量制御手段を設け、ダイニング側またはリビング側のいずれかの調理者の有無に応じて風向または／および風量を制御するものである。
【００３１】
そして、ダイニング側またはリビング側のいずれかの調理者の有無に応じて風向または／および風量制御して調理者の暖房とリビング空間の部屋暖房とを切り換えるものである。
【００３２】
第１１の発明は、第３の発明において、ダイニング側またはリビング側のいずれかの排気排出口に風向・風量制御手段を設け、ビルトイン機器の操作内容に応じて風向または／および風量を制御するものである。
【００３３】
そして、ビルトイン機器の操作内容に応じて風向または／および風量制御して調理者の暖房とリビング空間の部屋暖房とを切り換えるものである。
【００３４】
以下、本発明の実施の形態について、図面を参照しながら説明する。なお、この実施の形態によって本発明が限定されるものではない。
【００３５】
（実施の形態１）
図１は、本発明の第１の実施の形態における対面式キッチンとレンジフードの構成図を示すものである。
【００３６】
対面式キッチン１はビルトイン機器としてＩＨクッキングヒータ２、オーブンレンジ３
（電子レンジでもよい）、食器洗い乾燥機４、生ゴミ処理機５を組み込んでいる。またシンク６を備える。
【００３７】
ビルトイン機器２〜５の排気熱は機器側排気通路７により回収され、排気排出口選択手段８を介して暖房側排気通路１０に導かれる。
【００３８】
暖房側排気通路１０はキッチン側の調理者の足元の排気排出口１２、リビング側の調理者の足元の排気排出口１３、キッチン１の横側の排気排出口１４とつながっている。
【００３９】
排気排出選択手段８はビルトイン機器２〜５の排気熱を、換気側排気通路９からキッチン側の調理者の足元の排気排出口１２から排気するか、リビング側の調理者の足元の排気排出口１３から排気するか、キッチン１の横側の排気排出口１４から排気するかを選択する。選択の方法については後述するように人感センサー、操作部の操作内容、季節や室温を用いる。
【００４０】
図２は図１の対面式キッチンの外観図である。キッチン側操作部１５とリビング側操作部１６とを備え、ＩＨクッキングヒータ２をはじめビルトイン機器の運転操作をリビング側とキッチン側との両側から行えるようにしている。
【００４１】
また、人感センサーをキッチンのリビング側とキッチン側とに備え、調理者がリビング側にいること、キッチン側にいることを検知する。人感センサーは図１、図２に図示しないが、足元の排気排出口に備えてもよいし、より高い場所として、キッチンの側面や上面でリビング側とキッチン側にそれぞれ設けてもよい。
【００４２】
また、カレンダー手段をキッチンに備えて、現在が何月何日の何時なのかをカウントして冬季または夏季を判断する。室温センサーによって室温を得る。カレンダー手段、室温センサーは図１、図２に図示しないが、室温センサーは足元の排気排出口に備えてもよいし、より高い場所として、キッチンの側面や上面に設けてもよい。
【００４３】
また人感センサー、室温センサーをキッチンとは別体とし、離れたところで測定した測定値を無線通信や有線通信によってキッチンに送信する構成でもよい。人感センサーは天井や床に設けるとか空調機の人感センサーを用いることができる。室温センサーは空調機の室温センサーを用いることができる。
【００４４】
もちろん、カレンダー手段のみとして室温センサーを設けない構成、室温センサーのみとしてカレンダー手段のみとする構成も考えられる。以下は精度を高めるため両方を備えた構成として説明する。
【００４５】
以上から、対面式キッチン１には図３に示すような制御ブロックを構成する。制御手段２４の入力側として以下の３つがある。
【００４６】
（１）キッチン側の人感センサ２０、リビング側の人感センサー２１により、キッチン側とリビング側のの調理者の有無を検知して制御手段２４に信号を送る。
【００４７】
（２）キッチン側操作部１５、リビング側操作部１６からの操作内容を制御手段２４に送る。
【００４８】
（３）季節や日時を判断するためのカレンダー手段２２、キッチンやリビングの室温を測る室温センサー２３から日時、室温を制御手段２４に送る。
【００４９】
なお、（１）の人感センサーによる調理者の有無検知を（２）の操作部によって行うことで（１）の人感センサーを省いてもよい。また、（３）のカレンダー手段２２と室温センサー２３とはいずれか一方のみでも構わない。
【００５０】
以上の３つの入力信号により制御手段２４は、ビルトイン機器２〜５を運転・停止させる。その排熱をどこの排気排出口から排気するかを排気排出口選択手段８で選択する。排気排出口の風向・風量制御を行う風向・風量制御手段２５に、どの排気排出口においてどのように風向・風量制御を行うのかを指示する。
【００５１】
次に、キッチン側とリビング側の人感センサー２０、２１、キッチン側とリビング側の操作部１５、１６、カレンダー手段２２、室温センサー２３による、排気排出口選択手段８、風向・風量制御手段２５、の動作を具体的に説明する。
【００５２】
まず図４に、季節・室温と人検知に応じた排気排出口の選択を示す。
【００５３】
冬季または夏季の判断はカレンダー手段２２がカウントしている現在の日時から得られる。また室温センサー２３によって室温が得られる。これらから、制御手段２４および排気排出口選択手段８は排気熱を暖房に用いるか、人のいないところに排気するかを決める。
【００５４】
冬季または室温が低いときは、人感センサー２０、２１によって調理者を検知した場合には、その調理者の足元暖房を行う（図４中の制御内容（ａ）〜（ｃ））。このとき、風向・風量制御手段２５は、調理者の足元暖房を行うので風向を下向きとして穏やかな風量とする。また風向は人感センサーによって人検知した方向に向けてもよい。
【００５５】
またキッチン側にもリビング側にも調理者が不在の場合にはリビング側の排気排出口１３から排気することでリビング側を暖房する（図４中（ｄ））。これは通常、キッチンを使用した後はリビング空間に移動することが多いことを考慮している。
【００５６】
したがって、風向・風量制御手段２５は風向をやや水平下向きにしてリビング空間まで暖気が届くよう風量を大きくする。また風向はリビング空間の配置に応じて予め風向・風量制御手段に記憶させてもよい。
【００５７】
反対に、夏季または室温が高いときは、人感センサー２０、２１によって調理者を検知した場合には、その調理者に暖気が当たらないよう人が不在のリビング側かキッチン側の排気排出口から排気する、あるいはキッチンの横側の排気排出口１４から排気する（図４中の制御内容（ｅ）〜（ｈ））。
【００５８】
以上のように、ビルトイン機器を組み入れた対面式キッチンにおいて、ビルトイン機器から発生する排気熱を排出する複数の排気排出口と、複数の排気排出口のいずれから排気するかを選択する排気排出口選択手段とを備え、排気排出口は少なくともキッチン側とリビング側との両側に設ける。機器から発生する排気熱をキッチン側とリビング側の両側で切り換えて用いることができるので機器の使用中および使用後に使い勝手の良い暖房が実現できる。
【００５９】
また、対面式キッチンに人感センサーを備え、人感センサーによるキッチン側とリビング側の調理者の有無に応じてキッチン側の排気排出口または／およびリビング側の排気排出口から排気するので、調理者の有無に応じてキッチン側とリビング側とを切り換えて暖房することができる。
【００６０】
また、対面式キッチンにカレンダー手段または室温センサを設け、冬季または室温が低いときに調理者のいる排気排出口から排気するので、調理者の暖房を優先して行うことができる。
【００６１】
そして、冬季または室温が低いときにおいてキッチン側とリビング側の両方に調理者がいないときに、リビング側の排気排出口から排気するので、リビング側を優先して暖房することができる。
【００６２】
また、夏季または室温が高いときにおいて調理者のいない排気排出口または屋外に排気するので、調理者に暖気をあてないようにすることができる。
【００６３】
また、夏季または室温が高いときにおいてキッチン側とリビング側の両方に調理者がいるときに、対面式キッチンの横側の排気排出口（人のいないところ）に排気することができる。
【００６４】
次に図５に、操作部の内容と人検知に応じた排気排出口の選択を示す。もちろん、調理者が操作部を操作してどの排気排出口から排気するのかを直接選択してもよいが、調理で忙しいときに操作を増やしたくはないので、そのときの状況に応じて最適な選択を自動的に行うことが望ましい。
【００６５】
一例としてＩＨクッキングヒータの操作例を示すが、これに限らずビルトイン機器の操作に適用できる。
【００６６】
キッチン側操作部１５において、たとえばＩＨクッキングヒータ２の点火や火力調整の操作が行われたとき、調理者はキッチン側にいることがわかる。同様にリビング側操作部１６において、たとえばオーブンレンジ３や食器洗い乾燥機４、生ゴミ処理機５の運転開始の操作が行われたとき、調理者はリビング側にいることがわかる。所定時間内（たとえば３０秒以内）にいろいろな操作が行われることで調理者がそこにとどまっていることがわかる。
【００６７】
したがって、これを人感センサーと同様に考えて、冬季または室温が低いときは排気口排出選択手段８は調理者のいる側の排気排出口から所定時間の排気をして足元暖房を行う（図５中の制御内容（ｉ）（ｊ））。このとき、風向・風量制御手段２５は、調理者の足元暖房を行うので風向を下向きとして穏やかな風量とする。また風向は人感センサーによって人検知した方向に向けてもよい。
【００６８】
一方、夏季または室温が高いときは調理者のいない側の排気排出口、またはキッチン横の排気排出口１４から排気をして調理者に当てない（制御内容（Ｌ）、（ｍ））。
【００６９】
また、キッチン側操作部１５において、たとえばＩＨクッキングヒータ２の主電源スイッチオフの操作が行われたとき、調理者はＩＨクッキングヒータ２による調理を終えたことがわかる。その後所定時間（たとえば３０秒間）のあいだ他の操作が行われないとき、調理者は調理を終えてキッチンからリビング空間へと移動することが予想される。
【００７０】
これには主電源のスイッチオフのほか、オーブンレンジや食器洗い乾燥機のようにタイマー運転によるオフ操作もこれに含む。
【００７１】
リビング側操作部１５において、たとえば食器洗い乾燥機４のタイマー運転の操作が行われたとき、その後所定時間（たとえば３０秒間）のあいだ他のビルトイン機器の操作が何も行われないとき、調理者は食器洗いをセットしてリビング空間へと移動することが予
想される。また、オーブンレンジ３や生ゴミ処理機５も同様にタイマー運転による操作がある。
【００７２】
したがって、冬季または室温が低いときは排気口排出選択手段８はリビング側の排気排出口から排気をしてリビング空間の暖房を行う（図５中の制御内容（ｋ））。このとき、風向・風量制御手段２５は、リビング空間の部屋暖房を行うので風向をやや水平下向きにしてリビング空間まで暖気が届くよう風量を大きくする。また風向はリビング空間の配置に応じて予め風向・風量制御手段に記憶させてもよい。
【００７３】
また、夏季または室温が高いときはリビング空間の暖房をしないよう、キッチン側の排気排出口１２やキッチン横側の排気排出口１４から排気する（制御内容（ｎ））。
【００７４】
以上のように、ビルトイン機器の操作部を少なくともキッチン側とリビング側の両側に設け、操作部の操作内容からキッチン側とリビング側の調理者を判断してキッチン側の排気排出口または／およびリビング側の排気排出口から排気するので、操作内容に応じて調理者を判断しキッチン側とリビング側とを切り換えて暖房することができる。
【００７５】
そして、冬季または室温が低いときにおいてキッチン側とリビング側の両方に調理者がいないときに、リビング側の排気排出口から排気するので、リビング側を優先して暖房することができる。
【００７６】
また、夏季または室温が高いときにおいて調理者のいない排気排出口または屋外に排気するので、調理者に暖気をあてないようにすることができる。
【００７７】
また、冬季または室温が低いときにおいてビルトイン機器の運転終了の操作がされたときにリビング側の排気排出口から排気するので、ビルトイン機器の運転終了後はその排気熱を用いてリビング空間の暖房を行うことができる。
【００７８】
また、夏季または室温が高いときにおいてビルトイン機器の運転終了の操作がされたときにキッチン側の排気排出口または対面式キッチンの横側の排気排出口に排気するので、リビング空間が暑くなるのを防ぐことができる。
【００７９】
このときに、リビング側の排気排出口に風向・風量制御手段を設け、リビング側の調理者の有無に応じて風向または／および風量を制御して、調理者の暖房とリビング空間の部屋暖房とを切り換える。
【００８０】
なお、図６のように、排気排出口選択手段８は換気側排気通路９を介してレンジフード１１とつなげる構成でも構わない。すなわち、ビルトイン機器２〜５の排気熱は機器側排気通路７により回収され、排気排出口選択手段８は換気側排気通路９に導いて室外に排気するか、または暖房側排気通路１０に導いて室内に排気するかを制御する。
【００８１】
この構成では、夏季または室温が高いときに調理者に暖気をあてたくないときに換気側排気通路７に導くことができる。たとえば、図４の（ｅ）〜（ｈ）、図５の（Ｌ）〜（ｎ）のときである。キッチン横側の排気排出口１４の代わりに室外に排気することができる。
【００８２】
また、図４や図５に示した人検知や操作部の操作内容と制御内容のマップについては、使用者が好みに応じて変更することも可能である。たとえば、図４の（ｇ）（ｈ）、図５の（ｍ）（ｎ）のように排気排出口に複数の選択がある場合、これは部屋の間取りや使用者の好みによってことなるので使用者が排気排出口選択手段８に対してカスタマイズでき
る。
【００８３】
なお、風向・風量制御手段２５は風向または風量のいずれか一方のみの制御でも構わない。
【００８４】
また、ビルトイン機器の排気熱をキッチン横側の排気排出口１４への導く代わりに、排気をシンク６の廻りの水道管で冷やしたり、シンク６の保温に用いたり、給湯管の死水の保温に用いたり、食器洗い乾燥機４や生ゴミ処理機５の加熱乾燥に利用することも考えられる。
【００８５】
本実施の形態では、キッチン側とリビング側を両側をして記載したが、これに限られず、キッチン側とダイニング側を両側としてもよい。また、キッチン側とリビングダイニング側を両側をしてもよい。さらに、対面式キッチンでキッチン側とは別の面が面する部屋であれば、キッチン側と別の面が面する空間とで両側としてもよい。
【００８６】
最後に、ビルトイン機器は排気熱を発生するものであれば本実施の形態で記載した以外の機器であってもよい。たとえばＩＨクッキングヒータで説明したがこれに限らずガスコンロや電気ヒータであってもよい。
【産業上の利用可能性】
【００８７】
本発明は、対面型であれば業務用であっても利用できる。たとえば、飲食店で店の調理者とお客の両方から調理を行う加熱調理設備に用いてもよい。
【図面の簡単な説明】
【００８８】
【図１】本発明の実施の形態１における対面式キッチンの構成図
【図２】本発明の実施の形態１における対面式キッチンの外観図
【図３】本発明の実施の形態１における対面式キッチンの制御ブロック図
【図４】本発明の実施の形態１における制御パターン図
【図５】本発明の実施の形態１における別の制御パターン図
【図６】本発明の実施の形態１における対面式キッチンとレンジフードの別の構成図
【図７】従来のシステムキッチンの図
【符号の説明】
【００８９】
１  対面式キッチン
２  ＩＨクッキングヒータ
３  オーブンレンジ
４  食器洗い乾燥機
５  生ゴミ処理機
７  機器側排気通路
８  排気排出口選択手段
１２〜１４  排気排出口
１５  操作部
１６  操作部
２０  人感センサー
２１  人感センサー
２２  カレンダー手段
２３  室温センサー
２５  風向・風量制御手段
【図５】
2010220814.tif 000003
【図１】
2010220814.tif 000004
【図２】
2010220814.tif 000005
【図３】
2010220814.tif 000006
【図４】
2010220814.tif 000007
【図６】
2010220814.tif 000008
【図７】
2010220814.tif 000009